(57)【要約】【課題】  空間体積を確保しつつ毛管力を発生させて内容液となるインクなどの液体のボタ落ちなどの直流現象を防止し、更に小型化が可能となると共に、成形におけるコストの低減、成形の容易化を達成することができる液体塗布具を提供する。【解決手段】  筆記具用インクなどの液体を直接貯溜する液体タンク１０を有する軸筒１１と、該軸筒１１の先端部に設けた塗布部材２０と、上記液体タンク１０内の圧力変化を調整するための液体保溜部材３０とを有し、上記液体タンク１０から塗布部材２０への液体の導出が中継芯２４を介して行われる液体塗布具であって、前記液体保溜部材３０が少なくとも植毛部材３２から構成されていることを特徴とする液体塗布具。【選択図】図１
2015074168.tif 000002
【特許請求の範囲】
【請求項１】
液体を直接貯溜する液体タンクを有する軸筒と、該軸筒の先端部に設けた塗布部材と、上記液体タンク内の圧力変化を調整するための液体保溜部材とを有し、上記液体タンクから塗布部材への液体の導出が直接又は中継芯を介して行われる液体塗布具であって、前記液体保溜部材が少なくとも植毛部材から構成されていることを特徴とする液体塗布具。
【請求項２】
前記液体保溜部材は、筒状体と、該筒状体の外周面に形成した植毛部材とを備えたことを特徴とする請求項１記載の液体塗布具。
【請求項３】
前記液体保溜部材は、筒状体と、該筒状体の内周面に形成した植毛部材とを備えたことを特徴とする請求項１記載の液体塗布具。
【請求項４】
前記植毛部材は、静電植毛処理により形成されていることを特徴とする請求項２又は３記載の液体塗布具。
【請求項５】
前記液体保溜部材の筒状体が金属部材、合成樹脂部材、ゴム部材の何れかにより構成されていることを特徴とする請求項２〜４の何れか一つに記載の液体塗布具。
【請求項６】
前記液体保溜部材の筒状体がコイル状の金属部材から構成されていることを特徴とする請求項２〜４の何れか一つに記載の液体塗布具。
【発明の詳細な説明】
【技術分野】
【０００１】
本発明は、液体タンクを有する軸筒先端にペン芯、塗布体などの塗布部材を有し、インクや塗布液等の液体を液体タンクに直接充填した筆記具などの液体塗布具に関する。
【背景技術】
【０００２】
従来より、インクを直接タンク内に充填してなる筆記具においては、減圧、温度上昇の際にインクタンク内の空気の膨張によるペン先からのインクの流出を防ぐために毛細管現象を利用したインク保溜部材を装着している。
【０００３】
インク保溜部材等を用いた筆記具などの液体塗布具としては、例えば、
１）  軸筒先端の塗布部にタンク内塗布液を導出する中継芯と、インキ等の塗布液を充填するタンクと、タンク内圧上昇に伴う前記塗布液の流出分を一時的に溜めるインク保溜部材となるコレクターとを有した塗布具において、前記塗布部および中継芯の吸蔵可能な塗布液量Ａと、タンク容積分Ｂとを加え合わせた容積分Ｃ＝Ａ＋Ｂを、タンクおよび中継芯を収容する軸筒内に充填したことを特徴とする塗布具（例えば、特許文献１参照）、
２）  インキを貯留するインキ貯留室には、該インキ貯留室内のインキをこの貯留室外に流出させるためのインキ流出孔を設けたインキタンクであって、前記インキ貯留室には、インク保溜部材となるインキ貯留体が収容され、前記インキ貯留体には、複数の板状の羽部が、相互間にインキ貯留間隙を形成するように並列して設けられ、前記インキ貯留間隙は、使用初期から使用末期まで毛管力によりインキを貯留すると共に前記インキ流出孔側に所定の負圧を発生させるように、前記インキ貯留室に配置されたことを特徴とするインキタンク（例えば、特許文献２参照）などが知られている。
【０００４】
これらのインク保溜部材の必要な機能としては、インクを吸収できる空間体積量の確保と確保したインクを直流させないようにする毛管力の確保である。従来のインク保溜部材では、複数の板状の羽部（枚葉体）が、相互間にインク保溜間隙を形成するように並列して設けられたものであるため、空間体積を確保しつつ毛管力を発生させるには比較的大きなサイズにする必要があり、小型化することが困難であり、また、成形の容易化、コストの低減も切望されているのが現状である。
【０００５】
一方、軸筒の内部に設けられたインキ吸蔵体と、前記軸筒の先端に設けられたペン先ホルダと、連続気泡を有して毛管現象を生ぜしめるように後端を該インキ吸蔵体に挿入して前端を該ペン先ホルダより突出させた連続気泡を有するインキ導入芯と、先端を前記ペン先ホルダより突出させて該ペン先ホルダの内周と前記インキ導入芯の外周の間に位置するように設けられたペン先とを備えた筆記具において、前記ペン先の裏面と該インキ導入芯の外周部とに密接して少なくとも該ペン先の裏面の先端に至るように設けられた親水性の不織布、例えば、静電植毛に形成された不織布を有することを特徴とする、万年筆型の使い捨て筆記具（例えば、特許文献３参照）や、ペン先の、少なくとも一面に含芯材を備えてインク溜まりとした、インク溜まりを持つペン先（例えば、特許文献４参照）などが知られている。
しかしながら、上記特許文献３及び４の筆記具やペン先は、本発明の近接技術を開示するものであるが、筆記に際してのインクフローが良好であり、単に、不織布や含芯材に吸蔵したインクがなくなるまで筆記ができるものであり、本発明のインクを吸収できる空間体積量の確保と確保したインクを直流させないようにする毛管力の確保とを高度に両立したインク保溜部材を備えた筆記具などの液体塗布具とは、その技術思想等が相違するものである。
【先行技術文献】
【特許文献】
【０００６】
【特許文献１】特開２００３−１１８２８８号公報（特許請求の範囲、図１等）
【特許文献２】特開２００１−１６８２号公報（特許請求の範囲、図１等）
【特許文献３】実開平２−１５０２９３号公報（請求の範囲、第１図〜第１５図）
【特許文献４】特開平７−１１２５９５号公報（特許請求の範囲、図１〜図３）
【発明の概要】
【発明が解決しようとする課題】
【０００７】
本発明は、上記従来技術の課題に鑑み、これを解消しようとするものであり、従来の枚葉体を積層したインク保溜部材等を用いた液体塗布具に較べ、空間体積を確保しつつ毛管力を発生させてインク等の液体を直流させずに、更に小型化が可能となると共に、成形におけるコストの低減、成形の容易化を達成することができる液体塗布具を提供することを目的とする。
【課題を解決するための手段】
【０００８】
本発明者らは、上記従来の課題等を解決するために、鋭意検討した結果、液体を直接貯溜する液体タンクを有する軸筒と、該軸筒の先端部に設けた塗布部材と、上記液体タンク内の圧力変化を調整するための液体保溜部材とを有し、上記液体タンクから塗布部材への液体の導出が直接又は中継芯を介して行われる液体塗布具であって、前記液体保溜部材を特定構造とすることにより、上記目的の液体塗布具が得られることを見出し、本発明を完成するに至ったのである。
【０００９】
すなわち、本発明の液体塗布具は、次の（１）〜（６）に存する。
（１）  液体を直接貯溜する液体タンクを有する軸筒と、該軸筒の先端部に設けた塗布部材と、上記液体タンク内の圧力変化を調整するための液体保溜部材とを有し、上記液体タンクから塗布部材への液体の導出が直接又は中継芯を介して行われる液体塗布具であって、前記液体保溜部材が少なくとも植毛部材から構成されていることを特徴とする液体塗布具。
（２）  前記液体保溜部材は、筒状体と、該筒状体の外周面に形成した植毛部材とを備えたことを特徴とする上記（１）記載の液体塗布具。
（３）  前記液体保溜部材は、筒状体と、該筒状体の内周面に形成した植毛部材とを備えたことを特徴とする上記（１）記載の液体塗布具。
（４）  前記植毛部材は、静電植毛処理により形成されていることを特徴とする上記（２）又は（３）記載の液体塗布具。
（５）  前記液体保溜部材の筒状体が金属部材、合成樹脂部材、ゴム部材の何れかにより構成されていることを特徴とする上記（２）〜（４）の何れか一つに記載の液体塗布具。
（６）  前記液体保溜部材の筒状体がコイル状の金属部材から構成されていることを特徴とする上記（２）〜（４）の何れか一つに記載の液体塗布具。
【発明の効果】
【００１０】
本発明によれば、従来の枚葉体を積層したコレクター部材などの液体保溜部材を用いた液体塗布具に較べ、空間体積を確保しつつ毛管力を発生させて外気温や外気圧などの変化による液体タンク内の圧力変化（液体膨張等）があった場合にもインクなどの液体を塗布部材から直流させずに、更に小型化が可能となると共に、成形におけるコストの低減、成形の容易化を達成することができる液体塗布具が提供される。
【図面の簡単な説明】
【００１１】
【図１】（ａ）は、本発明の実施形態の一例となる液体塗布具の縦断面図、（ｂ）は、その要部を示す部分拡大縦断面図である。
【図２】（ａ）は、液体保溜部材の筒状体の一例となるコイル状の金属部材から構成される筒状体の斜視図、（ｂ）は（ａ）の筒状体の外周面に植毛部材を形成した液体保溜部材の一例を示す斜視図である。
【図３】（ａ）は、本発明の実施形態の他例となる液体塗布具の縦断面図、（ｂ）は、その要部を示す部分拡大縦断面図である。
【図４】（ａ）は、本発明の実施形態の他例となる液体塗布具の縦断面図、（ｂ）は、その要部を示す部分拡大縦断面図である。
【発明を実施するための形態】
【００１２】
以下に、本発明の実施形態を図面を参照して詳しく説明する。
図１（ａ）は、液体塗布具の縦断面図、（ｂ）は、その要部を示す部分拡大縦断面図、図２（ａ）は、液体保溜部材の筒状体の一例を示す斜視図、（ｂ）は（ａ）の筒状体の外周面に植毛部材を形成した液体保溜部材の一例を示す斜視図である。
本実施形態の液体塗布具Ａは、筆記具に適用したものであり、図１及び図２に示すように、水性インク、油性インクなどの筆記具用インクからなる液体を直接貯溜する有底筒状の液体タンク１０と、該液体タンク１０を収容する軸筒１１と、該軸筒１１の先端部に設けたペン芯からなる塗布部材２０と、上記液体タンク１０内の圧力変化を調整するための液体保溜部材３０とを有するものである。
【００１３】
液体タンク１０は、例えば、ＰＰ等の合成樹脂を使用して有底筒状に成形されている。この液体タンク１０の開口部１０ａ及び軸筒１１の開口部１１ａには前軸１２の後方側が固着される構造となっている。図示符号１５は、タンク１０内の収容される液体を攪拌するための攪拌ボールである。
上記前軸１２は、筒状前軸部１２ａと、該筒状前軸部１２ａの後部側に連設された上記軸筒１１の開口部１１ａを嵌合閉鎖するフランジ片１２ｂを有する筒状嵌合部１２ｃと、該嵌合部１２ｃの内側に連結部１２ｄを介して連設された筒状保持部１２ｅと、筒状保持部１２ｅには液体タンク１０の液体を流通せしめる液体流通孔１２ｆとから構成され、上記筒状嵌合部１２ｃと筒状保持部１２ｅ間にパッキン部材１３、液体タンク１０の開口部１０ａが嵌入されて軸筒１１に取り付けられる構造となっている。
【００１４】
また、前記ペン芯からなる塗布部材２０のペン先２０ａを突出した状態で前軸１２の筒状前軸部１２ａで塗布部材２０を保持するホルダー１４を設け、該ホルダー１４内には、液体を一時的に保溜する液体保溜部材３０を設けている。
前記筒状前軸部１２ａに設けたホルダー１４は、筒状を呈し、塗布部材２０を挿通固定する筒状の固定部１４ａと、該筒状固定部１４ａにフランジ部１４ｂを介して連設された筒状の小径部１４ｃとを有し、該筒状小径部１４ｃの外周面に液体保溜部材３０が設けられる構造となっている。
ホルダー１４の前方側外周面部には別部材の概略筒状の口プラ１６が嵌着固定されて一体化している。この状態で、液体保溜部材３０とホルダー１４は筒状前軸部１２ａ内に前端部開口から挿入・固定されており、前軸１２の連結部１２ｄに液体保溜部材３０の後端外周部が当接して、かつ、液体保溜部材３０の前端外周部がフランジ部１４ｂに当接して液体保溜部材３０とホルダー１４が筒状前軸部１２ａに対して位置決めされている。
【００１５】
前記ホルダー１４の小径部１４ｃ及び前記前軸１２の筒状保持部１２ｅとは同一内径となる連通構造となっており、小径部１４ｃ及び筒状保持部１２ｅ内には、中継芯２４が挿通固定されており、中継芯２４の前端は塗布部材２０後端内部に没入し、かつ、中継芯２４の後端は液体タンク１０の開口部１０ａ内に挿入された前軸１２の液体流通孔１２ｆ付近に配置されている。
【００１６】
ホルダー１４の固定部１４ａに固定されるペン芯からなる塗布部材２０は、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などから構成されるものであり、その形状としては、例えば、本実施形態のように、先端をナイフカット状としたペン芯を挙げることができる。
【００１７】
前記ホルダー１４の小径部１４ｃの外周と筒状前軸部１２ａ間に設けられる液体保溜部材３０は、外気温や外気圧などの変化による液体タンク１０内の圧力変化を調整、例えば、減圧、温度上昇の際に液体タンク１０内の空気膨張によるペン先となる塗布部材２０からの液体のボタ落ち等に対処するための部材であり、少なくとも植毛部材から構成されている。
本実施形態の液体保溜部材３０は、図２（ａ）及び（ｂ）に示すように、筒状体３１と、該筒状体３１の外周面に形成した植毛部からなる植毛部材３２とを備えたものであり、筒状体３１がコイル状の金属部材から構成されており、前記植毛部材３２は、静電植毛処理（フロッキー処理）により形成されている。
【００１８】
筒状体３１は、例えば、ステンレス、アルミニウム、鉄などの金属部材を線状として、これをコイル状にして筒状体としたものである。この筒状体３１内に前記ホルダー１４の小径部１４ｃ外周が挿嵌されるものであり、本実施形態の筒状体３１は、φ０．２ｍｍのステンレス製線材をコイル状にして内径４．５ｍｍ、外径５ｍｍ、長さ２０ｍｍとしてものである。なお、筒状体３１は、コイル状にて成形加工することにより、内径１〜２０ｍｍ、外径１〜２０ｍｍ、長さ５〜１００ｍｍの大きさに任意に設定することができるものとなる。
【００１９】
植毛部材３２は、静電植毛処理（フロッキー処理、接着剤塗布＋静電加工）により上記筒状体３１の外周面に形成することができる。この植毛部材３２は、例えば、繊維径０．００１〜０．５ｍｍ、繊維長さ０．０５〜１０ｍｍの繊維を接着することが好ましい。繊維材料としては、例えば、ナイロン、レーヨン、アクリル、ポリエステル、などの樹脂製の繊維を用いることができ、好ましくは、耐膨潤性の点から、ポリエステルの使用が望ましい。この植毛部材３２によって形成された繊維間の隙間により毛管力を発生させることができ、これを利用して、インクの一時貯留部とすることでき、また、植毛部材３２は微細な筒状体３１に静電植毛処理を利用して容易に形成できるので、従来のスポンジなどの液体吸蔵体よりも小型化が可能となるものである。また、インクなどの液体（内容液）種を勘案して、用いる繊維径、繊維長、繊維種（親水性、疎水性等）を好適に組み合わせることにより、最適な毛管力を有する植毛部からなる植毛部材３２を構成することができることとなる。
【００２０】
この液体保溜部材３０では、空間体積を確保しつつ、所定の毛管力を生じるように植毛部材３２によって形成された繊維間の隙間により毛管力を発生させることができ、この隙間に、外気温や外気圧などの変化による液体タンク１０内の圧力変化（液体膨張等）があった場合にも、過剰となった液体を一時保溜することができ、圧力変化がなくなった場合（通常状態になった場合）に元に戻す作用を有するものであり、これにより液体の塗布部材２０からのボタ落ち（液体の直流現象）等を防ぐことができるものとなる。
【００２１】
本発明の液体保溜部材３０では、上記植毛部材３２の植毛する体積を増減したりすることにより、該繊維間の隙間の体積が増減することにより、空間体積を確保しつつ、毛管力の強弱を任意に設定できるので、液体塗布具の用途（筆記具、化粧料などの塗布具）、液体の種類（筆記具用インク、化粧液、薬液等）、塗布部材の大きさ（直径、長さ等）と毛管力に応じて、好適な毛管力を設定することができるものとなる。
なお、植毛部材３２の濡れ性を改善するために、植毛部材３２をプラズマ処理、撥水剤等による表面加工を施しても良いものである。
【００２２】
また、筒状前軸部１２ａの外周面には、塗布部材２０のペン先２０ａ不使用時（非筆記時等）にペン先２０ａを覆うキャップ４０の外キャップ４１を筒状前軸部１２ａの外周面に着脱自在となるように嵌着するようになっている。
このキャップ４０内には、カップ状のインナーキャップ４２を設けており、該インナーキャップ４２はキャップ４０内で進退動可能になり、かつ、後方に向けてスプリング部材４３で付勢されており、キャップ４０装着時にインナーキャップ４２の後端縁が口プラ１６に当接して密着してペン先２０ａの気密を確実に保持できるようになっている。一方、キャップ部材４０は上端開放部４４とインナーキャップ４２の外周部溝で、インナーキャップ４２の存在にかかわらずに、キャップ４０の非装着時におけるキャップ４０の前端から後端までの通気が確保されている。
また、前記キャップ４０には、外周部に被服のポケットに装着する際に固定できるクリップ体４５が設けられている。なお、このクリップ体４４を液体タンク内のインク（液体）と同色あるいはインク筆記色と同色の材料（プラスチック等の樹脂材料が好適である）で形成したものである。
【００２３】
このように構成される本実施形態の液体塗布具Ａでは、キャップ４０を外して、塗布部材２０で所定箇所を塗布すると、液体タンク１０内の液体が、液体流通孔１２ｆ、中継芯２４を介して塗布部材２０へ毛管現象により、先端部に供給されて塗布に供されることとなる。なお、この際の空気置換は、筆記により、液体タンク１０内が液体保溜部材３０の毛管力以上に減圧されることにより、空気置換される構成となっている。また、本実施形態では、上記液体タンク１０から塗布部材２０への液体の導出を中継芯２４で行ったが、中継芯２４を省略して、直接供給できる構造としてもよいものである。
そして、外気温や外気圧などの変化による液体タンク１０内の圧力変化（液体膨張等）がなされた場合に、液体保溜部材３０の筒状体３１の外周面に形成された植毛部材３２の繊維間に過剰となった液体を一時保溜することができ、圧力変化がなくなった場合（通常状態になった場合）に元に戻す作用を有するものであり、これにより液体のボタ落ち（液体の直流現象）等を容易に防ぐことができるものとなる。
以上のように本実施形態の液体塗布具Ａでは、従来の枚葉体を積層したコレクター部材などの液体保溜部材を用いた液体塗布具に較べ、空間体積を確保しつつ毛管力を発生させてインクなどの液体を直流させずに、更に小型化が可能となると共に、成形におけるコストの低減、成形の容易化が達成される。また、従来の枚葉体を積層したコレクター部材を用いた場合には、射出成形で形成されていたが、この形成方法であると、空間体積を確保しつつ、毛管力を発生させるには比較的大きいサイズにする必要があり、小型化困難なであったが、本実施形態では、コイル状に加工、並びに、静電植毛処理（フロッキー処理、接着剤塗布＋静電加工）により筒状体３１の外周面に簡単に毛管力を有する植毛部材を形成することができるので、更に小型が可能となるものであり、しかも、液体保溜部材を更に小型化することができるので、外観もスマートとなる液体塗布具が得られるものとなる。
【００２４】
次に、図３、図４は、それぞれ本発明の液体塗布具の他の実施形態となるものであり、用いる液体保溜部材をそれぞれ図３、図４に示す液体保溜部材に変更した点でのみ、上記図１及び図２の液体塗布具Ａと相違するものであり、上記実施形態の液体塗布具Ａと同様に機能するものである。なお、上記図１及び図２の液体塗布具Ａと同様の機能、作用を発揮する部品等については図３，４中に同一符号を付してその説明を省略する。
【００２５】
図３の液体保溜部材３０では、筒状部３１をコイル状にすることなく、ステンレス、アルミニウム、鉄などの金属部材の打ち抜き加工、または、ポリプロピレン、ナイロン、レーヨン、アクリル、ポリエステルなどに導電性を付与した樹脂製、ニトリルゴム、ブチルゴム、シリコーンゴムなどに導電性を付与したゴム製、ポリエステル系、オレフィン系、スチレン系などに導電性を付与した熱可塑性エラストマー製などにより一体成形に構成したものであり、本実施形態では、ステンレス製による一体成形で筒状体としたものであり、大きさなどは、上記図１及び２の筒状体と同じ大きさとなっている。
この構造の液体保溜部材３０では、筒状体３０を樹脂、ゴム、金属などの材料を用いて一体成形することができ、この筒状体３１の外周面に上記と同様に植毛部材３２を静電植毛処理（フロッキー処理、接着剤塗布＋静電加工）により形成することができ、従来の枚葉体を積層したコレクター部材よりも、簡単な構成により、図1等と同様に、液体のボタ落ち等の直流現象を防止することができる。また、従来の枚葉体を積層したコレクター部材を用いた場合には、射出成形で形成されており、上述のように、小型化困難なであったが、本発明では、樹脂等を用いた場合は、押出成形により筒状体の一体成形と静電植毛処理（フロッキー処理、接着剤塗布＋静電加工）により筒状体の外周面に容易に形成することができるので、更に小型が可能となるものである。
【００２６】
図４の液体保溜部材３０では、筒状体３１を上記図１〜図３と同様に加工、成形、具体的には、ステンレス、アルミニウム、鉄などの金属部材の打ち抜き加工、または、上記金属部材を線材としてコイル状に加工、更に、ポリプロピレン、ナイロン、レーヨン、アクリル、ポリエステルなどに導電性を付与した樹脂製、ニトリルゴム、ブチルゴム、シリコーンゴムなどに導電性を付与したゴム製、ポリエステル系、オレフィン系、スチレン系などに導電性を付与した熱可塑性エラストマー製などにより一体成形に構成したものであり、本実施形態では、図１と同様にステンレス製によるコイル状の筒状体としたものであり、該筒状体３１の内周面に上述の静電植毛処理（フロッキー処理、接着剤塗布＋静電加工）により植毛部材３２を形成したものである。この筒状体３１の外径は、筒状前軸部１２ａの内周面に当接する径（内径に略等しく）となっており、植毛部材３２の厚さは、小径部１４ｃの外周面に当接する長さとなっている。
この構造の液体保溜部材３０においても、図１〜図３と同様に、液体保溜部材３０の筒状体３１の内周面に形成された植毛部材３２の繊維間に過剰となった液体を一時保溜することができ、圧力変化がなくなった場合（通常状態になった場合）に元に戻す作用を有するものであり、液体のボタ落ち等の直流現象を防止することができ、また、更に小型が可能となるものである。
【００２７】
本発明は、上記実施形態に限定されるものでなく、本発明の要旨を変更しない範囲で種々の形態に変更することができる。
上記各実施形態では、液体塗布具として筆記具用インクを用いた筆記具について詳述したが、該インクをマニキュア液、液状化粧料、薬液等とし、塗布部材となるペン芯をスポンジ等の多孔体から構成される塗布体とした化粧具、その他液体を一般に塗布するものとしてもよいものである。
【実施例】
【００２８】
次に、実施例により、本発明を更に詳述するが、本発明は下記実施例に限定されるものではない。
【００２９】
〔実施例１〕
（液体塗布具の構成：図１及び図２準拠）
各部材の構成：
液体タンク１０、軸筒１１、前軸１２、ホルダー１４、キャップ４０：ポリプロピレン製
塗布部材（ペン芯）２０：アクリル製繊維芯、気孔率７２％、長さ１５ｍｍ、φ：５ｍｍ、先端がナイフカット形状
中継芯２４：アクリル製繊維芯、気孔率６０％、長さ４０ｍｍ、φ：２ｍｍ
液体保溜部材３０：筒状体３１は、φ０．２ｍｍのステンレス製線材をコイル状にして内径４．５ｍｍ、外径５ｍｍ、長さ２０ｍｍ
静電植毛処理（フロッキー処理、接着剤塗布＋静電加工）：
上記筒状体３１の外周面に形成。植毛部材３２：繊維径０．０５ｍｍ、繊維長さ３ｍｍのポリエステル製繊維を接着
（液体組成等）
液体として、市販のマーキングペン用水性インクを使用した。
【００３０】
このように構成される本発明となる実施例１の液体塗布具を使用に供したところ、インクが塗布部材２０に流出して筆記できることを確認した。また、加温して圧力をかけてもペン先となる塗布部材から液体の直流現象は生じないことを確認した。
【産業上の利用可能性】
【００３１】
本発明の液体塗布具では、アンダーラインペン、ペイントマーカー、油性マーカー、水性マーカーと呼ばれるタイプの筆記具、マニキュア液、液状化粧料等の化粧具などに好適に適用することができる。
【符号の説明】
【００３２】
Ａ  液体塗布具
１０  液体タンク
１１  軸筒
２０  塗布部材（ペン芯）
３０  液体保保溜部材
３１  筒状体
３２  植毛部材
４０  キャップ
【図１】
2015074168.tif 000003
【図２】
2015074168.tif 000004
【図３】
2015074168.tif 000005
【図４】
2015074168.tif 000006